(57)【要約】      （修正有）【課題】葉書は、印字内容が第三者に見られる危険性がありそれを防止する為、隠蔽したい情報に目隠しシール等を貼る方法があるが、シール貼りに手間もかかる。発行人にとって、受取人の葉書の提示によって、葉書に印字された内容を読み取り各種データ処理に役立てることが望ましい。【解決手段】発行人は、感熱紙に剥離可能な透明フィルムを圧着した上紙に、感熱紙の発色部分が目視では確認出来ない任意の不透明箇所を印刷加工した隠蔽式感熱葉書を用いて、上紙の不透明箇所に、通知情報やバーコード等自動認識機器により認識できる自動認識コードのいずれか一方を、その他情報は不透明箇所に印字されなかった場合の通知情報や自動認識コードと共に透明箇所に、コンピュータ接続されたサーマルプリンタで印字し、発行郵送する。受取人は、上紙を剥離し通知情報を目視確認し、発行人に提示する。発行人は、印字された内容の各種データ処理を行なうことができる。【選択図】図５
2009006689.tif 000002
【特許請求の範囲】
【請求項１】
発行人は、感熱紙に剥離可能な透明フィルムを圧着した２層式感熱紙の透明フィルム側の上紙に、感熱紙の発色部分が目視では確認出来ない任意の不透明箇所を印刷加工した隠蔽式感熱葉書を用いて、別途に用意したコンピュータの管理データから抽出した印字データに基づいて、上紙の不透明箇所に、通知情報およびバーコード等自動認識機器により認識できる自動認識コードの両者とも、もしくはいずれか一方のみを、その他の情報は上紙の不透明箇所に印字されなかった場合の通知情報や自動認識コードとともに透明箇所に、コンピュータに接続されたサーマルプリンタで印字し、受取人に発行郵送する。当該葉書を受け取った受取人は、その上紙を剥離し通知情報を目視確認し、当該葉書を発行人の指定場所に持参し、発行人に提示する。発行人は、当該葉書の自動認識コードを、別途に用意したコンピュータに接続されたスキャナ等自動認識機器で読み取り認識し、当該管理データと突合しながら、各種データ処理を行なうシステム。
【発明の詳細な説明】
【技術分野】
【０００１】  通知情報と自動認識コードとを印字した隠蔽式感熱葉書のシステムに関するものである。
【背景技術】
【０００２】  葉書は、封書に比べて切手代は安いが印字の内容が第三者に見られる危険性があり、それを防止する為、隠蔽したい情報の印字部分に目隠しシール等を貼る方法があるが、そのシールが必要となり、シール貼りの手間もかかる。【０００３】  また郵送した葉書は、発行人にとって、その葉書を受け取った受取人の葉書の提示によって、その葉書に印字されたコード等を読み取り各種データ処理に役立てることが望ましい。【０００４】
【特許文献１】特開２０００−００１０７０
【発明の開示】
【発明が解決しようとする課題】
【０００５】  本発明の課題は、発行人は、葉書に通知情報を印字した後に目隠しシール等を貼ることなく、隠蔽式感熱葉書を用いて通知情報や自動認識コード等他の情報も含め一度に印字でき、更に発行人は、当該葉書を受け取った受取人からの当該葉書の提示により、その印字内容の自動認識コードをスキャナ等自動認識機器での読み取り各種データ処理を行なうことにある。
【課題を解決するための手段】
【０００６】  本発明に係る当該葉書は、感熱紙に剥離可能な透明フィルムを圧着した２層式感熱紙の透明フィルム側の上紙に、感熱紙の発色部分が目視では確認出来ない任意の不透明箇所を印刷加工したものである。【０００７】  別途に用意したコンピュータの管理データから抽出した印字データに基づいて、上紙の不透明箇所に、通知情報及びバーコード等自動認識機器により認識できる自動認識コードの両者とも、もしくはいずれか一方のみを、その他の情報は上紙の不透明箇所に印字されなかった場合の通知情報や自動認識コードとともに透明箇所に、コンピュータに接続されたサーマルプリンタで印字し、受取人に発行郵送する。【０００８】  当該葉書を受領した受取人は、その上紙を剥離し通知情報を目視確認の上、当該葉書を発行人の指定場所に持参して、発行人に提示する。【０００９】  発行人は、当該葉書の自動認識コードを、別途に用意したコンピュータに接続されたスキャナ等自動認識機器で読み取り認識し、当該管理データと突合しながら、各種データ処理を行なうと同時に必要により、受取人への諸処理を誘導する。
【発明の効果】
【００１０】
【００１１】  サーマルプリンタでの当該葉書への印字による発行コストの低減と、通知情報および自動認識コードの、存在の隠蔽とその内容の隠蔽である。【００１２】  自動認識コードの読み取りと同データ処理による処理コストの低減である。
【発明を実施するための最良の形態】
【００１３】  以下、本発明の実施形態を図１〜図６に基づいて説明する。【００１４】  図１は、本発明に使用する当該葉書の印刷例の正面図である。
当該葉書の上紙に郵便はがきの文字と郵便番号枠と隠蔽パターンとを印刷する。【００１５】  図２は、本発明のハードウエア構成図である。コンピュータ１は一般的な市販されているパーソナルコンピュータであり、ＣＰＵ２、ＣＤ−ＲＡＭドライバ３、ディスプレイ４、ハードディスク５、キーボード６、メモリ７が内蔵されている。更に、コンピュータ１の外部には、サーマルプリンタ８とスキャナ９が接続されている。なお、これらの機能説明は省略する。【００１６】  図３〜図６は、本発明の一実施例として、発行人が展示会等への招待状の当該葉書をコンピュータ１に接続されたサーマルプリンタ８で印字し受取人に郵送する。受取人は、当該葉書の上紙を剥離し、通知情報を確認の上、当該葉書を展示会場に持参し、発行人に提示する。発行人は、コンピュータ１に接続されたスキャナ９で当該葉書の自動認識コードを読み取り、管理データの受取人コードとの突合結果により展示会場への入場を誘導するプロセスである。【００１７】  図３は、コンピュータ１のメモリ７に記憶された管理データのフォーマットであり、その内容は以下の通りである。
受取人コード：発行人が当該葉書を発行するに当たっての受取人の整理番号である。
アクセス確認コード：発行人の指定場所のコンピュータ１に接続されたスキャナ９で自動認識コードを読み取り、コンピュータ１で処理をした証のコードである。
取扱郵便局名：当該葉書を１０枚以上郵送するとしての料金別納表示である。
郵便番号・住所・氏名・敬称：葉書の宛名表示である。
通知情報：受取人に通知する目視可能な印字内容である。
自動認識コード：このコードは、受取人コードをＱＲコード化したもので、発行人の指定場所のコンピュータ１に接続されたスキャナ９でその自動認識コードを読み取り、受取人コードとの突合処理を行なう。【００１８】  図４は、コンピュータ１のメモリ７に記憶された印字データのフォーマットであり、その内容は、管理データの内、受取人コードとアクセス確認コードとを除いたすべてである。【００１９】  図５は、その印字データに基づいてコンピュータ１に接続されたサーマルプリンタ８で当該葉書に印字した時の上紙から目視できる印字内容である。【００２０】  図６は、その印字データに基づいてコンピュータ１に接続されたサーマルプリンタ８で当該葉書に印字した時の上紙を剥離した状態で目視できる印字内容である。【００２１】  受取人は、その葉書の上紙を剥離し、通知情報を確認の上、当該葉書を展示会場に持参し、発行人に提示する。【００２２】  発行人は、コンピュータ１に接続されたスキャナ９で当該葉書の自動認識コードを読み取り、コンピュータ１での管理データの受取人コードとの突合処理により、受取人コードと一致すれば、該当のアクセス確認コード欄に”１”等の文字を入力する。そして、受取人を展示会場への入場を誘導する。【００２３】  なお、アクセス確認コードは、後刻、受取人への礼状発送や入場率の統計処理データ等に活用する。【００２４】  また、管理データや印字データには、受取人コードや駐車券・景品引換券・抽選券等を付加することができる。【００２５】  また、自動認識コードはＱＲコードにこだわらず、ＣＯＤＥ１２８等他のバーコードも活用できる。【００２６】  また、通知情報には、別途の自動認識コードを付加することにより、受取人側でのデータ処理にも活用できる。【００２７】  また、葉書の裏側は発行人の通信欄として、広告・告知等に活用できる。【００２８】  本発明の他の実施例は、商品やサービス提供の手段の一環として、コンサート等の入場券の発行とコンサート会場での入場処理がある。この場合の通知情報は入場券・座席番号等がある。その他、旅行・宝くじ等のネット販売での引換券としても活用できる。【００２９】  本発明の他の実施例は、代金や商品回収の手段の一環として、督促状の発行と
発行人住居や金融機関・コンビニ等での回収処理がある。この場合の通知情報は請求金額・返済期限等がある。
【図面の簡単な説明】
【００３０】
【図１】本発明に使用する隠蔽式感熱葉書の印刷例の正面図
【図２】本発明のハードウエア構成図
【図３】コンピュータ１のメモリ７に記憶された管理データのフォーマット
【図４】コンピュータ１のメモリ７に記憶された印字データのフォーマット
【図５】サーマルプリンタ８で葉書に印字した時の上紙から目視できる印字内容
【図６】サーマルプリンタ８で葉書に印字した時の上紙を剥離した状態で目視できる印字内容
【符号の説明】
【００３１】    １  コンピュータ
２  ＣＰＵ２
３  ＣＤ−ＲＡＭドライバ
４  ディスプレイ
５  ハードディスク
６  キーボード
７  メモリ
８  サーマルプリンタ
９  スキャナ
【図１】
2009006689.tif 000003
【図２】
2009006689.tif 000004
【図３】
2009006689.tif 000005
【図４】
2009006689.tif 000006
【図５】
2009006689.tif 000007
【図６】
2009006689.tif 000008